(57)【要約】【課題】静止原稿用のフラットベットコンタクトガラスに対し、ストレート搬送路を有する構成であっても１つの読取ユニットで移動原稿と静止原稿を良好な読取を行うことができる画像読取装置を提供する。【解決手段】透明な部材で形成される静止原稿を載置するフラットベットコンタクトガラス６と、透明な部材で形成される移動原稿が通過する移動原稿用コンタクトガラス７と、フラットベットコンタクトガラス６に設置した静止原稿と移動原稿用コンタクトガラス７を通過する移動原稿とを読取る読取ユニット１０と、読取ユニット１０を走査させる走査装置とを有し、フラットベットコンタクトガラス６と移動原稿用コンタクトガラス７とが同一平面上にない画像読取装置において、読取ユニット１０が走査装置によってそれぞれフラットベットコンタクトガラス６と移動原稿用コンタクトガラス７の読取面にならうように移動する。【選択図】図７
2014003421.tif 000002
【特許請求の範囲】
【請求項１】
静止原稿を載置する静止原稿読取部と、
移動原稿が通過する移動原稿読取部と、
前記静止原稿読取部に載置した静止原稿と前記移動原稿読取部を通過する移動原稿とを読取る読取部を備えた読取手段とを有し、
前記移動原稿読取部の読取面が、前記静止原稿読取部の読取面に対して所定角度で傾斜して並設されている画像読取装置において、
前記読取手段が前記静止原稿読取部と前記移動原稿読取部に沿うように移動することを特徴とする画像読取装置。
【請求項２】
前記読取手段と前記静止原稿読取部との距離が、前記読取手段と前記移動原稿読取部との距離と同一であることを特徴とする請求項１に記載の画像読取装置。
【請求項３】
前記読取手段は、静止原稿の読取時には前記静止原稿読取部に沿って移動して原稿を読み取り、移動原稿の読取時には前記移動原稿読取部に沿う位置に移動後、停止して原稿を読み取ることを特徴とする請求項１又は２に記載の画像読取装置。
【請求項４】
前記読取手段は、前記静止原稿読取部と前記移動原稿読取部に亘って移動可能に構成された
支持部と、該支持部に回動かつ上下動可能に支持された読取部と、該読取部を前記静止原稿読取部及び前記移動原稿読取部に対して付勢する付勢手段からなることを特徴とする請求項１乃至３のいずれか１に記載の画像読取装置。
【請求項５】
前記読取部の前記静止原稿読取部及び前記移動原稿読取部と対向する側には前記付勢手段によって該記読取部に圧接する複数の突起部が設けられていることを特徴とする請求項１乃至４のいずれか１に記載の画像読取装置。
【請求項６】
前記読取部は、密着イメージスキャナ、またはレンズ、ＣＣＤ、ミラーを保持した一体型光学走査ユニットであることを特徴とする請求項１ないし５の何れか１に記載の画像読取装置。
【請求項７】
前記静止原稿読取部と前記移動原稿読取部との間には、これらの読取部を接続する接続部が設けられており、該接続部の下面は、前記静止原稿読取部の下面及び前記移動原稿読取部の下面と同一平面を形成するように構成されていることを特徴とする請求項１ないし６の何れか１に記載の画像読取装置。
【請求項８】
前記読取部の回動軸及び該回動軸が嵌合する長穴が、前記支持部における前記静止原稿読取部と前記移動原稿読取部の並び方向において前記移動原稿読取部側に設けられていることを特徴とする請求項１ないし７の何れか１に記載の画像読取装置。
【請求項９】
請求項１ないし８何れか１に記載の画像読取装置を備えたことを特徴とする画像形成装置。
【発明の詳細な説明】
【技術分野】
【０００１】
本発明は、移動する原稿の画像と静止した原稿の画像とを読取可能な画像読取装置及び該画像読取装置を備える画像形成装置に関するものである。
【背景技術】
【０００２】
上記形式の画像読取装置は、良く知られており、例えば特許文献１に記載されている。この種の画像読取装置では、図２０に示すように、移動原稿用の第１読取ガラス２２(以下「スリットガラス」という)と静止原稿用の原稿載置台２１（以下「コンタクトガラス」という）とを備え、１つの読取ユニット２３で原稿積載トレイ９１上から搬送される移動原稿とコンタクトガラス２１上に載置された静止原稿の画像を読取っている。したがって、スリットガラス２２で移動原稿を読み取る場合は、読取ユニット２３をコンタクトガラス２１の下方であるホームポジション位置からスリットガラス２２の直下である移動原稿の読取位置に移動させ、そこで停止させた状態で読み取るようになっている。
【０００３】
ところで、カード等の殆んど曲がらない硬い原稿を読取る場合、原稿を１つ１つコンタクトガラス２１上に載置させて読取るのではなく、自動原稿搬送ユニット１２０を用いて移動させつつ読取ることができれば作業性が大幅に改善される。しかし、自動原稿搬送ユニット１２０で硬い原稿の読取を可能にするためには、図２０に示すように原稿の給送から排出までを一直線状に形成したストレート搬送路１０１が必要になる。このとき、移動原稿用のスリットガラス２２の原稿搬送方向の前後に原稿を搬送するための搬送ローラ対９７、９８を設けようとすると、特にスリットガラス２２の原稿搬送方向上流側に設けられる搬送ローラ対９７の設置スペースを確保することが必要となる。そのため、ストレート搬送路１０１は、搬送ローラ９７の設置スペース分だけコンタクトガラス２１に対して傾斜させる必要が生じる。その結果、必然的にストレート搬送路１０１上に配置されるスリットガラス２２もコンタクトガラス２１に対して傾斜して配置されることになる。
【０００４】
一般的に良好な品質の画像読取を行うためにはガラス面に対して読取ユニットの読取面が平行で、かつ読取ユニットの焦点深度にあった適切な距離にあり、読取ユニットの光軸がガラス面に対して垂直であることが必要とされる。
【０００５】
しかし、上述のように、スリットガラス２２がコンタクトガラス２１に対し所定の角度を持って傾斜している場合に、読取ユニット２３をコンタクトガラス２１の下方からスリットガラス２２の下方に渡って単純に水平方向に一直線状に移動させると、読取ユニット２３からコンタクトガラス２１までの距離よりも、読取ユニット２３からスリットガラス２２までの距離の方が長くなってしまう。読取ユニット２３が縮小光学系のように焦点深度が深いものであれば、上記距離の差は読取画像の品質にあまり影響することはないかもしれないが、ＣＩＳのように焦点深度が浅いものだと上記距離の差は読取画像の品質に大きな影響を与えることとなる。
【０００６】
つまり、コンタクトガラス２１上の原稿の読取画像の品質を良好にするために、ＣＩＳの焦点深度に合わせてＣＩＳとコンタクトガラス２１との距離を設定したとしても、ＣＩＳとスリットガラス２２との距離はその距離よりも長いためにＣＩＳの焦点深度から外れてしまいスリットガラス２２上を移動する原稿の読取画像の品質が著しく低下するという問題が発生する。
【０００７】
又、コンタクトガラス２１上の原稿の読取画像の品質を良好にするために読取ユニット２３の光軸をコンタクトガラス２１に対して垂直となるように設定していても、スリットガラス２２がコンタクトガラス２１に対して所定角度で傾斜しているために、読取ユニット２３をコンタクトガラス２１の下方からスリットガラス２２の下方に渡って単純に水平方向に一直線状に移動させるだけだと読取ユニット２３の光軸はスリットガラス２２に対して垂直にはならないため上記同様にスリットガラス２２上を移動する原稿の読取画像の品質が著しく低下するという問題が発生する。
【発明の概要】
【発明が解決しようとする課題】
【０００８】
本発明は、上記した従来の問題に鑑み、静止原稿用のコンタクトガラスに対して傾斜したストレート搬送路を有する構成であっても１つの読取手段で移動原稿と静止原稿の両方を良好な画像品質で読み取ることができる画像読取装置及び画像形成装置を提供することを目的としている。
【課題を解決するための手段】
【０００９】
上記課題を解決するため、本発明は、透明な部材で形成される静止原稿を載置する静止原稿読取部と、透明な部材で形成される移動原稿が通過する移動原稿読取部と、前記静止原稿読取部に載置した静止原稿と前記移動原稿読取部を通過する移動原稿とを読取る読取手段とを有し、静止原稿読取部の読取面が移動原稿読取部の読取面に対して所定角度で傾斜している画像読取装置において、前記読取手段が静止原稿読取部の読取面と移動原稿読取部の読取面にならうように移動することを特徴とする画像読取装置を提案する。
【発明の効果】
【００１０】
本発明によれば、静止原稿用のコンタクトガラスに対して傾斜した移動原稿読取用のストレート搬送路を有する構成であっても、読取手段が静止原稿読取用のコンタクトガラスと移動原稿読取用のスリットガラスの両方にならうように移動するので、読取手段を移動原稿及び静止原稿の両方に対して常に一定距離を維持しつつ、しかも読取手段の読取方向を移動原稿及び静止原稿に対して常に垂直にすることが可能となる。これにより、１つの読取手段であっても移動原稿と静止原稿をともに良好に読取ることが可能となる。
【図面の簡単な説明】
【００１１】
【図１】本発明に係る画像読取装置を備えた画像形成装置の外観斜視図である。
【図２】その画像読取装置の外観斜視図である。
【図３】画像読取装置の分解斜視図である。
【図４】画像読取装置と原稿搬送装置の構成を示す説明図である。
【図５】図４の主要部の拡大説明図である。
【図６】本発明の第１の実施形態を示す読取ユニットの構成を示す分解斜視図である。
【図７】その実施形態の静止原稿を読取るホームポジションに位置する読取ユニットを示す断面説明図である。
【図８】その実施形態の静止原稿を読取るホームポジションと移動原稿読取位置の中間に位置する読取ユニットを示す断面説明図である。
【図９】その実施形態の移動原稿読取位置に位置する読取ユニットを示す断面説明図である。
【図１０】本発明の第２の実施形態を示す読取ユニットの構成を示す分解斜視図である。
【図１１】その実施形態の静止原稿を読取るホームポジションに位置する読取ユニットを示す断面説明図である。
【図１２】その実施形態の静止原稿を読取るホームポジションと移動原稿読取位置の中間に位置する読取ユニットを示す断面説明図である。
【図１３】その実施形態の移動原稿読取位置に位置する読取ユニットを示す断面説明図である。
【図１４】その実施形態の移動原稿読取位置から静止原稿を読取るホームポジションへ移動途中の読取ユニットを示す断面説明図である。
【図１５】第１の実施形態の読取ユニットがホームポジションにおける画像読取装置の高さ説明する断面説明図である。
【図１６】第１の実施形態の読取ユニットが移動原稿読取位置における画像読取装置の高さ説明する断面説明図である。
【図１７】第２の実施形態の読取ユニットがホームポジションにおける画像読取装置の高さ説明する断面説明図である。
【図１８】第２の実施形態の読取ユニットが移動原稿読取位置における画像読取装置の高さ説明する断面説明図である。
【図１９】押圧バネの最小長さについて説明する説明図である。
【図２０】従来の画像読取装置と原稿搬送装置の構成を示す説明図である。
【発明を実施するための形態】
【００１２】
以下、本発明の実施形態を添付図面に従って説明する。
図１は、本発明に係る画像読取装置を備えた画像形成装置の外観斜視図、図２はその画像読取装置２の外観斜視図、図３は画像読取装置２の分解斜視図である。
【００１３】
図１において、１は画像形成装置であり、画像形成装置１の上部には画像読取装置２が設けられ、その画像読取装置２の上部に開閉可能な自動原稿搬送装置３が設けられている。画像読取装置２はスキャナーカバー４とスキャナフレーム５とを合わせて厚みの薄い箱型に形成して構成されている。そして、スキャナカバー４には透明な部材で形成される静止原稿読取部としてのコンタクトガラス６と、透明な部材で形成されるその上を通過する移動原稿を読み取る移動原稿読取部としてのスリットガラス７とが並べるようにして設けられている。画像読取装置２はスキャナカバー４の内部にはガイドロッド８に案内されて読取走査する第１読取ユニット１０が設けられ、第１読取ユニット１０には密着イメージセンサ（図４に示す）や図示していない照明手段が保持されている。なお、後述するようにスリットガラス７に沿うように設けたストレート搬送路３５は、スリットガラス７の前後に搬送ローラ対３３、３６を設置させる構成上、スリットガラス７がコンタクトガラス６に対して所定角度傾斜して設けられている。
【００１４】
図４は画像読取装置２と自動原稿搬送装置３を示す断面図、図５はその主要部の拡大図である。なお、自動原稿搬送装置３は読取部付近の主要部品のみの概略図となっている。
図４及び図５において、まず自動原稿搬送装置３を用いて原稿等の読取を行う場合について説明する。この場合は、原稿やカード等（以下「原稿等」という）の読取対象（図示せず）を原稿トレイ３１上に載置する。次に、図示しない操作部上で読取開始の指示を行うと、ピックアップローラ３２が分離ローラ３８の回転軸を中心して下側に回動することにより原稿等を分離ローラ３８へ搬送する。そして、搬送された原稿等は分離ローラ３８と分離パッド３９により一枚ずつ分離されて下流側へ順次搬送され、搬送ローラ対３３によって読取位置であるスリットガラス７上に搬送されていく。
【００１５】
このとき、第１読取ユニット１０は、図４及び図５に破線で示したホームポジションから図４及び図５の矢印Ｄ方向に移動し実線で示すスリットガラス７の下部に予め移動して待機しており、スリットガラス７上を通過する原稿等の画像を読取る。
【００１６】
読取対象である原稿等が、その厚みがそれほど厚くなく屈曲を許すようなものの場合、図５の矢印Ｂで示すように、スリットガラス７の原稿搬送方向の下流側に設けられた搬送ローラ対３６から排出される原稿等を上方に湾曲して搬送するための反転搬送経路３４を通って原稿トレイ３１の上方に配置された図示していない排紙トレイへと送られてスタックされる。
【００１７】
一方、原稿等がカードや紙厚が大きい物のような屈曲を許さないようなものの場合は、上記湾曲した反転搬送路３４を使って原稿を排出することはできないのでピックアップされた原稿等をまっすぐに排出する必要がある。そこで、原稿等がカードや紙厚が大きい物のような屈曲を許さないようなものの場合は、図５の矢印Ａで示すように、スリットガラス７の傾斜角度と略同一の角度で形成されたストレート搬送路３５を通り、図示しない自動原稿搬送装置３の側面に配置された排紙トレイにスタックされるように構成される。尚、符号３７は原稿等の上面（裏面）の画像を読取るための第２読取ユニットであり、読取対象の原稿等が両面に画像等が形成されている原稿の場合は、その表面及び裏面の画像を１回の搬送動作で読取る際に使用されるが、本発明の要旨ではないので詳しい説明は省略する。
【００１８】
次に、コンタクトガラス６上に原稿等を載置して原稿の画像を読み取る場合について説明する。自動原稿搬送装置３は、画像読取装置２の奥側に設けられた図示しない回動軸を中心に回動可能に構成されている。コンタクトガラス６上に原稿等を載置して読み取りを行う場合は、まず作業者が自動原稿搬送装置３を画像読取装置２に対して回動させ、コンタクトガラス６上に原稿等を載置してから自動原稿搬送装置３を画像読取装置２に対して閉じる。そして、作業者が図示しない操作部から読取開始の指示を行うと、第１読取ユニット１０が図４及び図５の破線で示すホームポジションから図中矢印Ｃで示す方向にガイドロッド８に沿って往復動することによりコンタクトガラス６上に載置された原稿等を走査し原稿画像の読み取りを行う。
【００１９】
図６は、本発明の第１の実施形態を示す第１読取ユニット１０の構成を示す分解斜視図である。尚、第１読取ユニット１０が請求項における「読取手段」に相当する。
図６において、符号１１は密着イメージセンサ、またはレンズ、ＣＣＤ、ミラーを保持した一体型の光学走査ユニット、符号１２は光学走査ユニット１１を支持するブラケットである。光学走査ユニット１１にはその長手方向両端にピン１３、１３Ａが設けられ、ブラケット１２の長手方向両端付近にはピン１３、１３Ａが嵌合される長穴１５、１５Ａが形成された支持腕１４、１４Ａが立設されている。長穴１５、１５Ａは、図において上下方向に延在し、ピン１３、１３Ａの径は長穴１５、１５Ａの短方向の径より若干小さい径に設定されている。ブラケット１２と光学走査ユニット１１の間には、光学走査ユニット１１を上方へ押し上げる方向の押圧力を付勢している押し上げ手段としての押圧バネ１６が設けられている。なお、本例の押し上げ手段は４本の押圧バネ１６で構成しているが、押し上げ手段は押圧バネに限らず、ゴム等の押し上げ手段でもよく、また押圧バネ１６を用いた場合でもその本数は任意である。また、ピン１３、１３Ａは光学走査ユニット１１の側面の幅方向中央の上面近くに設けているが、ピン１３、１３Ａは軸線が一致し、他の部品との干渉がない位置ならば、光学走査ユニット１１の側面の任意の位置に設けて良い。
【００２０】
上記ブラケット１２は、図７に示すように、その下部にガイドロッド８が貫通された脚部１７が設けられ、さらに図示していない駆動手段によって図のＣ方向とＤ方向に移動される。画像読取装置２が組み付けられている状態では光学走査ユニット１１が押圧バネ１６によって押し上げられ、コンタクトガラス６等に弾性的に押し付けられる。このとき、光学走査ユニット１１とコンタクトガラス６等との接触摩擦を小さくなるように、光学走査ユニット１１の上面には数個の半球状の突起１８が設けられている。なお、本実施形態の突起１８は図６に示すように、光学走査ユニット１１上面の４隅近くの同等位置に設けられている。
【００２１】
図７は、第１読取ユニット１０のホームポジションの位置を示している。コンタクトガラス６上の原稿を読取る際には、ホームポジションから図７の矢印Ｃで示す副走査方向に図示しない駆動装置によりカイドロット８上を往復移動する。一方、自動原稿搬送装置３を用いて原稿等の読み取りを行う際には、ホームポジションから図７の矢印Ｄで示す方向に移動し、図８の状態を経て図９で示すようにスリットガラス７の真下の読取位置で停止し、搬送ローラ対３３によりスリットガラス７上に搬送された原稿等の画像を読み取る。
【００２２】
ホームポジションから移動原稿用の読取位置、すなわちスリットガラス７の真下に移動させる際には、既に説明したようにスリットガラス７がコンタクトガラス６に対して所定の角度を持って傾斜しているので、第１読取ユニット１０は、コンタクトガラス６とスリットガラス７の間は図７、図８に示すように左に向かうほど上方となる傾斜のスキャナーカバー４（スロープ１９）に沿って進み、スリットガラス７に到達してからは図９に示すようにスリットガラス７の傾斜に沿って左に向かうほど下方となるように進むように構成されている。
【００２３】
このとき、本実施形態では光学走査ユニット１１のピン１３、１３Ａが支持腕１４の長穴１５、１５Ａに嵌合され、かつ、光学走査ユニット１１が押圧バネ１６によって上方へ付勢されていることにより、光学走査ユニット１１は、その上面に設けられた突起１８がコンタクトガラス６等の下面に当接しつつ移動することができるに構成されている。なお、コンタクトガラス６とスリットガラス７の間のスキャナーカバー４には、その下面にスロープ１９が設けられている。このスロープ１９は、第１読取ユニット１０が図７〜図９の状態に移動するのに伴って光学走査ユニット１１がコンタクトガラス６からスリットガラス７に沿いながらスムーズに移動するのを可能にするものである。そのためスロープ１９の下面（光学走査ユニット１１の突起１８が接触する側の面）は、コンタクトガラス６及びスリットガラス７の下面と連続下面を同一面に形成するように構成されている。
【００２４】
かくして、ブラケット１２に支持腕１４、１４Ａの長穴１５、１５Ａを介して上下動可能に支持された光学走査ユニット１１は、押し上げ手段である押圧バネ１６の作用によって常に光学走査ユニット１１の上面に設けられた突起１８がコンタクトガラス６とスリットガラス７の下面に当接しながら移動するので、原稿読取時の光学走査ユニット１１からの光軸をコンタクトガラス６及びスリットガラス７のどちらに対しても垂直にすることができるとともに、原稿読取時の光学走査ユニット１１とコンタクトガラス６及びスリットガラス７の間隔をそれぞれ同じ一定間隔に維持することが可能となる。これにより、原稿等を、自動原稿搬送装置３を用いてスリットガラス７上を通過させて読取る移動原稿読み取りの場合、及び原稿等をコンタクトガラス６上に載置して読取る静止原稿読み取りの場合、どちらの場合でも良好な画像読取を行うことが可能となる。
【００２５】
かくして、移動原稿用のスリットガラス７が静止原稿用のコンタクトガラス６に対して所定角度の傾斜を持って設けられている画像読取装置であっても、１つの読取手段で良好な画像品質の画像を得ることが可能となる。
【００２６】
図１０は本発明の第２の実施形態を示す第１読取ユニット１０の構成示す分解斜視図であって、図６と異なる点はブラケット１２に対する支持腕１４、１４Ａの立設位置と光学走査ユニット１１のピン１３、１３Ａの位置が異なる。すなわち、支持腕１４、１４Ａの立設位置がブラケット１２の副走査方向において中央ではなく図の左側に寄せられ、ピン１３、１３Ａも同様に光学走査ユニット１１の図の左側に寄せられて設けられている。
【００２７】
このように構成された画像読取装置では自動原稿搬送装置３を用いてスリットガラス７上を、原稿を移動させながら読み取る場合は、図１１に示すホームポジションから図１１の矢印Ｄで示す方向に移動し、図１２の状態を経て図１３で示すようにスリットガラス７の真下の読取位置で停止し、搬送ローラ対３３によりスリットガラス７上に搬送された原稿等の画像を読み取る。
【００２８】
ここで、図６に示す第１の実施形態のように光学走査ユニット１１の回動支点であるピン１３、１３Ａを光学走査ユニット１１の中央部に設けた場合と比較して、図１０に示す第２の実施形態のようにピン１３、１３Ａを光学走査ユニット１１の左側端部付近に設けた場合は、画像読取装置２の小型化（高さの低減）することが可能となる。その理由を以下に図１５〜図１９を用いて説明する。
【００２９】
図１５、１６（第１の実施形態）に示すように光学走査ユニット１１の回動支点であるピン１３、１３Ａを光学走査ユニットの中央部に設けるとともに、ピン１３、１３Ａを挟むように左右に押圧バネ１６を設けた場合、図１５のように第１読取ユニット１０のホームポジションでの押圧バネ１６の長さは、押圧バネ１６の最小長さをＬとするとＬ＋αとなる。
【００３０】
その理由を以下に説明する。第１読取ユニット１０が図１５のホームポジションから図中矢印Ｄ方向に移動し、図１６に示すスリットガラス７の直下の読取位置に停止した時に、光学走査ユニット１１はピン１３、１３Ａを中心に左回りに回動し、ピン１３、１３Ａの左側の押圧バネ１６を圧縮するとともに右側の押圧バネ１６を伸張させる。押圧バネ１６の最小長さＬは、押圧バネ１６固有の値であり個々に予め決められている。
【００３１】
ここで、押圧バネ１６の最小長さＬについて図１９を用いて説明する。図１９（ａ）は押圧バネ１６に全く力が加わっていない状態を示しており、この時の押圧バネ１６の長さはＬ１である。図１９（ｂ）は、押圧バネ１６に力を加えた状態を示している。ここで、使用可能範囲とは押圧バネ１６を圧縮していった時に押圧バネ１６に許容ねじり応力以下の応力しか発生しない範囲のことであり、押圧バネ１６の伸縮長さがこの範囲に収まっていれば適正な弾性力を発生させることが可能となる範囲のことである。
【００３２】
一方、使用可能下限長さＬ２とは、この長さ以下に押圧バネ１６を圧縮すると上記許容ねじり応力以上の応力が押圧バネ１６に発生してしまい最悪の場合には押圧バネ１６を破損してしまう長さのことである。図１９（ｃ）は、押圧バネ１６を圧縮していきこれ以上圧縮することができない長さである密着長さＬ３を示している。この密着長さＬ３まで押圧バネ１６が圧縮されてしまうと押圧バネ１６の弾性力がなくなりバネとしての機能を奏しなくなる長さである。以上より押圧バネ１６の最小長さＬとは、押圧バネ１６に適正な弾性力を発生させることができる最小の長さ、つまり、上記の使用可能下限長さＬ２、あるいは密着長さＬ３を意味することになる。
【００３３】
従って、図１６に示すようにスリットガラス７の直下の読取位置に第１読取ユニット１０が停止した時に、ピン１３の左側に設けられた押圧バネ１６は圧縮されるが、圧縮された時の押圧バネ１６の長さを上記の最小長さＬより長く設定する必要がある。その理由は、図１６に示す左側の押圧バネ１６が圧縮された状態でその長さが最小長さＬ（密着長さＬ３）以下になってしまうと、左側の押圧バネ１６の付勢力が右側の押圧バネ１６の付勢力よりも弱くなり光学走査ユニット１１をスリットガラス７に適切に押圧することが出来なくなるからである。つまり、光学走査ユニット１１の光軸がスリットガラス７に対して傾斜してしまう（垂直にならない）ため画像の読取品質が劣化するという問題が発生するためである。又、最小長さＬが使用可能下限長さＬ２であった場合は、最悪の場合は押圧バネ１６が破損し読取ユニットごと交換する必要が生じるという問題が発生する。
【００３４】
その結果、図１５に示すように第１読取ユニット１０がホームポジションにあるときの押圧バネ１６の長さは必然的にＬ＋αになってしまう。
これに対して図１７、図１８（第２の実施形態）に示すように光学走査ユニット１１の回動支点であるピン１３、１３Ａを光学走査ユニットの左側端部付近に設けるとともに、ピン１３、１３Ａの右側に押圧バネ１６を並べて設けた場合、図１７に示すように第１読取ユニット１０のホームポジションでの押圧バネ１６の長さを、押圧バネ１６の最小長さＬに設定することが可能となる。
【００３５】
その理由を以下に説明する。第１読取ユニット１０が図１７のホームポジションから図中矢印Ｄ方向に移動し、図１８に示すスリットガラス７の直下の読取位置に停止した時に、光学走査ユニット１１はピン１３、１３Ａの右側に設けられた２つの押圧バネ１６がともに伸張することによりピン１３、１３Ａを中心に左回りに回動する。つまり、第１読取ユニット１０がスリットガラス７の直下の読取位置にある時にはいずれの押圧バネ１６もホームポジションの状態からさらに圧縮されることがないため、図１６のように第１読取ユニット１０が読取位置にある時に押圧バネ１６の最小長さＬを満たす必要がなくなる。その結果、図１８に示すように第１読取ユニット１０のホームポジションでの押圧バネ１６の長さを最小長さＬに設定することが可能となる。
【００３６】
押圧バネ１６の長さは、図１５、図１７に示すように画像読取装置２の高さに影響を与える。つまり、図１５の場合は、第１読取ユニット１０のホームポジションでの押圧バネ１６の長さＬ＋αが画像読取装置２の高さＧに影響を与え、図１８の場合は、第１読取ユニット１０のホームポジションでの押圧バネ１６の長さＬが画像読取装置２の高さＨに影響を与えるのである。
【００３７】
以上のことから明らかなように図１８に示すようにピン１３、１３Ａを光学走査ユニット１１の左端部付近に設けた場合は、第１読取ユニット１０のホームポジションでの押圧バネ１６の長さを押圧バネの最小長さＬに設定することができるので、図１６に示すようにピン１３、１３Ａを光学走査ユニット１１の中央部に設けた場合に比べて画像読取装置２の高さをα分低減することができ画像読取装置２の小型化を図ることが可能となるのである。
【００３８】
また、 図１０ないし図１３に示す実施形態では、図１４に示すように第１読取ユニット１０がスリットガラス７の直下の読取位置からホームポジションへ戻る途中の段階で突起１８がスロープ１９に接触する。そうすると、この接触により光学走査ユニット１１に対して光学走査ユニット１１をピン１３回りに回動させようとする力が加わる。図１４に示すように光学走査ユニット１１をピン１３に対して右回りに回動させるモーメントＭが発生するように、スロープ１９の下面の傾斜角度を設定することにより第１読取ユニット１０のホームポジションへの移動をスムーズに行うことが可能になる。
【００３９】
一方、図１４のモーメントＭとは逆のモーメント、つまり光学走査ユニット１１をピン１３に対して左回りに回動させるモーメントが発生するようにスロープ１９の角度を設定すると、第１読取ユニット１０のホームポジションへの移動過程で突起１８がスリットガラス７とスロープ１９とでなす空間に入り込んでしまい、それが抵抗となって第１読取りユニット１０のホームポジションへの移動に支障をきたすこととなる。
【符号の説明】
【００４０】
１  画像形成装置
２  画像読取装置
３  自動原稿搬送装置
６  フラットベッドコンタクトガラス
７  移動原稿用コンタクトガラス
１０  読取ユニット
１１  光学走査ユニット
１３、１３Ａ  ピン
１４、１４Ａ  支持腕
１５、１５Ａ  長穴
１６  押圧バネ
３５  ストレート搬送路
【先行技術文献】
【特許文献】
【００４１】
【特許文献１】特開２０１１−１７１９５７号公報
【図１】
2014003421.tif 000003
【図２】
2014003421.tif 000004
【図３】
2014003421.tif 000005
【図４】
2014003421.tif 000006
【図５】
2014003421.tif 000007
【図６】
2014003421.tif 000008
【図７】
2014003421.tif 000009
【図８】
2014003421.tif 000010
【図９】
2014003421.tif 000011
【図１０】
2014003421.tif 000012
【図１１】
2014003421.tif 000013
【図１２】
2014003421.tif 000014
【図１３】
2014003421.tif 000015
【図１４】
2014003421.tif 000016
【図１５】
2014003421.tif 000017
【図１６】
2014003421.tif 000018
【図１７】
2014003421.tif 000019
【図１８】
2014003421.tif 000020
【図１９】
2014003421.tif 000021
【図２０】
2014003421.tif 000022